(57)【要約】【課題】双眼鏡を眼に当てたまま、近くの前方光景を見たり、携帯用テレビジョンの表示画像を見たりするかを選択し、多忙な状態でレース観戦するのを避けられる双眼鏡を提供する。【解決手段】一方の鏡筒１内に前方光景を透過させる第１光学素子６、７を有し、他方の鏡筒２内に前方光景を第２光学素子８、９を通してＣＣＤアレイ４面上に結像し、その結像を光電変換して結像に対応した映像を表示するＬＣＤアレイ５を有し、２つの鏡筒１、２間のマウント３内に、ＣＣＤ駆動部１０、ＬＣＤ駆動部１１、外部切替操作が可能な１回路２接点スイッチ１２、携帯用テレビジョン１７に接続可能なインターフェイス１４を有し、１回路２接点スイッチ１２は、可動接点がＬＣＤ駆動部１０を通してＬＣＤアレイ５に、一方の固定接点がＣＣＤ駆動部１０を通してＣＣＤアレイ４に、他方の固定接点がインターフェイス部１４に接続される。【選択図】図１
2007101589.tif 000002
【特許請求の範囲】
【請求項１】
一方の鏡筒の内部に、前方光景を望遠鏡型透視映像として表示する第１光学素子を有し、他方の鏡筒の内部に、前方光景を第２光学素子を通してＣＣＤアレイ面上に結像し、前記ＣＣＤアレイの面上の結像を光電変換してその結像に対応した映像を表示するＬＣＤアレイを有し、前記一方の鏡筒と他方の鏡筒の間のマウント内部に、ＣＣＤ駆動部、ＬＣＤ駆動部、外部より切替操作が可能な１回路２接点スイッチ、携帯用テレビジョンに接続可能なインターフェイス部をそれぞれ有しており、前記１回路２接点スイッチは、可動接点が前記ＬＣＤ駆動部を通して前記ＬＣＤアレイに、一方の固定接点が前記ＣＣＤ駆動部を通して前記ＣＣＤアレイに、他方の固定接点が前記インターフェイス部にそれぞれ接続されていることを特徴とする双眼鏡。
【請求項２】
前記一方の鏡筒の内部にある第１光学素子の光路長と前記他方の鏡筒の内部にある第２光学素子の光路長とは、前記第１光学素子の光路長に比べて前記第２光学素子の光路長が長いものであることを特徴とする請求項１に記載の双眼鏡。
【請求項３】
前記一方および他方の鏡筒間マウントの内部には、さらにメモリが配置され、このメモリが前記ＬＣＤ駆動部に結合されていることを特徴とする請求項１または２に記載の双眼鏡。
【請求項４】
前記一方および他方の鏡筒間のマウントには、携帯用テレビジョンチューナから導出された映像信号ラインの終端にあるプラグを受け入れ可能なコネクタがマウント表面に露出した状態で配置され、マウント内部において前記コネクタが前記インターフェイス部に導電接続されていることを特徴とする請求項１乃至３のいずれかに記載の双眼鏡。
【発明の詳細な説明】
【技術分野】
【０００１】
本発明は、双眼鏡の一方の鏡筒内に従来形式の光学系を、他方の鏡筒内にＣＣＤアレイとＬＣＤアレイを、マウント内にそれらの駆動素子と映像切替手段とをそれぞれ配置し、双眼鏡を眼に当てた状態で、一方の片眼で光学的な前方光景を、他の片眼で選択的に前方光景の電子画像または遠隔地からの撮影画像を見ることができるようにした双眼鏡に関する。
【背景技術】
【０００２】
一般に、自動車レース場においては、レースコースのホームストレッチ部分に観客席が設けられているもので、観客が観客席で自動車レースを観戦している場合、観客席前のホームストレッチ部分における自動車レースの状態は、比較的よく見ることができるが、自動車レース場のレース用周回コースは全長数キロにも及ぶ長い距離であるため、観客席から離れたところの自動車レースの状態は、観客席からの距離がかなり開いているため、見にくい場合が多い。このため、自動車レース場には、レース用周回コースの各所に自動車レースの状態を映し出すテレビジョンカメラが設けられており、そのテレビジョンカメラで撮影した映像が自動車レース場内にある大型スクリーンに投影され、それと同時に、自動車レースの実況が中継放送されるようになっている。しかるに、大型スクリーンに写し出される映像は、観客席の何れの席からでもよく見ることができるわけでないので、観客の全部が自動車レースの状態を詳細に知ることはできない。
【０００３】
このため、自動車レースを観戦する観客は、自動車レースの状態を詳細に知りたければ、双眼鏡と携帯用テレビジョンとを持参して観戦するようにしているもので、近くの自動車レースの状態を見るときは双眼鏡を用い、一方、遠くの自動車レースの状態を見るときは携帯用テレビジョンに映し出される映像を活用することがしばしば行われている。この場合においても、自動車レースが長時間に及ぶようなときは、競技車は当然レース用周回コースのあちこちに散らばった状態で走行していることになるから、観客は、場内放送や各競技車とピット間の無線通話を聞きながら、自動車レースの状況変化に対応して、大型スクリーンがよく見える所ではそのスクリーンの映像を見たり、持参した双眼鏡を覗いたり、同じく持参した携帯用テレビジョンの表示画面を見たりし、それぞれの状況における最適の手段を選択して自動車レースの状況の把握に努めるようにしている。
【特許文献１】採用する特許文献はなし
【発明の開示】
【発明が解決しようとする課題】
【０００４】
このように、自動車レースを観戦する観客は、現在行われている自動車レースの状況をできるだけ詳細に知りたい場合、その自動車レースの状況の変化に対応して、レース場内に立設されている大型スクリーンの映像を見たり、持参した双眼鏡を覗いて近くのレースの状況を見たり、持参した携帯用テレビジョンの表示画面により遠隔地のレースの状況を見たり、場内放送や各競技車とピット間の無線通話を聞いたりすることを適宜選択して行なっているもので、これまでの自動車レースの観戦における観客は、非常に忙しい状態の基で長時間にわたる自動車レースを観戦するものであった。
【０００５】
本発明は、このような状況に鑑みてなされたもので、その目的は、双眼鏡を眼に当てた状態で近くの前方光景を見たり、携帯用テレビジョンの表示画像を見たりするかを選択し、自動車レースを多忙な状態で観戦するのを避けることが可能な双眼鏡を提供することにある。
【課題を解決するための手段】
【０００６】
前記目的を達成させるために、本発明による双眼鏡は、一方の鏡筒の内部に、前方光景を望遠鏡型透視映像として表示する第１光学素子を有し、他方の鏡筒の内部に、前方光景を第２光学素子を通してＣＣＤアレイ面上に結像し、ＣＣＤアレイの面上の結像を光電変換してその結像に対応した映像を表示するＬＣＤアレイを有し、一方の鏡筒と他方の鏡筒の間のマウント内部に、ＣＣＤ駆動部、ＬＣＤ駆動部、外部より切替操作が可能な１回路２接点スイッチ、携帯用テレビジョンに接続可能なインターフェイス部をそれぞれ有しており、１回路２接点スイッチは、可動接点がＬＣＤ駆動部を通してＬＣＤアレイに、一方の固定接点がＣＣＤ駆動部を通してＣＣＤアレイに、他方の固定接点がインターフェイス部にそれぞれ接続されている手段を具備する。
【０００７】
また、前記手段において、本発明による双眼鏡は、一方の鏡筒の内部にある第１光学素子の光路長と前記他方の鏡筒の内部にある第２光学素子の光路長とは、第１光学素子の光路長に比べて第２光学素子の光路長が長いものであることが好ましい。
【０００８】
さらに、前記手段において、本発明による双眼鏡は、鏡筒のマウントの内部にメモリが配置され、メモリがＬＣＤ駆動部に結合されている第１の付加的手段を具備する。
【０００９】
また、前記手段において、本発明による双眼鏡は、鏡筒のマウントに、携帯用テレビジョンチューナから導出された映像信号ラインの終端にあるプラグを受入れ可能なコネクタがマウント表面に露出した状態で配置され、マウント内部においてコネクタがインターフェイスに導電接続されている第２の付加的手段を具備する。
【発明の効果】
【００１０】
以上のように、本発明による双眼鏡によれば、第１の鏡筒側においては、通常の双眼鏡と同様にそのままの前方光景、この場合、双眼鏡を持参している観客の近くの地点で展開されている競技車の状況を見ることができ、第２の鏡筒側においては、１回路２接点スイッチの可動接点を一方の固定接点に切替えることによりＬＣＤアレイに表示された前方光景を見たり、または、同可能接点を他方の固定接点に切替えることにより携帯用テレビジョンで受信した映像画像、この場合、双眼鏡を持参している観客のから離れた遠くの地点で展開されている競技車の状況を見ることができるもので、例えば、左眼で近くの地点の前方光景を、右眼で遠くの地点のテレビジョン画像をそれぞれ可視可能状態にあった場合、両眼で見える異なる可視画像に対して同時に注意力を集中することは視覚心理上不可能であっても、それらの異なる可視画像がどんな場面の画像であるかの認知は可能であるから、観客にとって前方光景が重要な光景になったときは、即座に右眼のテレビジョン画像をＬＣＤアレイの表示画像から前方光景に切替え、両眼で前方光景に注意力を集中することが可能になるもので、この場合に、双眼鏡から眼を離さない状態でこのような操作を行えるから、自動車レースを観戦する観客にとって、以前ほどの忙しさを味合わずに、各所で展開されている自動車レースの状況を十分把握できるという効果がある。
【発明を実施するための最良の形態】
【００１１】
図１は、本発明の双眼鏡の実施の形態に係るもので、その要部構成を示す横断面図である。
【００１２】
図１に示されるように、この実施の形態による双眼鏡は、例えば、自動車レースを観戦するときに、観客が後述する携帯用テレビジョン１７とともに自動車レース場に持参するもので、一方の鏡筒１と、他方の鏡筒２と、一方及び他方の鏡筒の間にあって２つの鏡筒１、２を結合保持するマウント３とによって本体部分が形成されている。この場合、一方の鏡筒１及び他方の鏡筒２は、いずれも、通常の径を持つ先端領域及び後端領域と通常の径よりも大きい径の中間領域とからなっている。一方の鏡筒１は、汎用型の光学素子を内蔵した望遠鏡型のもので構成され、外部光が入射される先端領域の内部に対物レンズ１ａが配置され、使用者の眼が当接される後端領域の内部に接眼レンズ１ｂが配置され、中間領域の内部に平行四辺形状の第１プリズム６と第２プリズム７とが光学的に縦続した状態で配置されている。他方の鏡筒２は、外部光が入射される先端領域の内部に対物レンズ２ａが配置され、使用者の眼が当接される後端領域の内部に後端側から順に接眼レンズ２ｂとＣＣＤアレイ４とＬＣＤアレイ５と第２収束レンズ２ｄとが配置され、中間領域の内部に台形状の第１プリズム８と第１収束レンズ２ｃと台形状の第２プリズムとが光学的に縦続した状態で配置されている。なお、第１収束レンズ２ｃ及び第２の収束レンズ２ｄは、必要に応じて省略しても構わない。
【００１３】
また、マウント３は、本来の焦点距離調整機構を構成するツマミ３ａと２つの鏡筒間隔調整用蝶番機構３ｂとが配置される他に、その内部にＣＣＤ駆動部１０とＬＣＤ駆動部１１と１回路２接点スイッチ１２とメモリ１３とインターフェイス１４とがそれぞれ配置されている。さらに、マウント３は、その筐体面に、後述するプラグ１６が嵌め込み可能なコネクタ１５と筐体外部より操作できるように配置されたスイッチ操作部１２ａとが設けられ、このスイッチ操作部１２ａを操作することにより、１回路２接点スイッチ１２の可動接点を切替えることができるものである。
【００１４】
この他に、自動車レースを観戦する観客が持参する携帯用テレビジョン１７は、その筐体に受信アンテナ１７ａが立設され、その筐体から先端にプラグ１６が設けられたリード線１７ｂが導出されており、使用時にリード線１７ｂの先端にあるプラグ１６を双眼鏡のマウント３のコネクタ１５に嵌め込み、携帯用テレビジョン１７と双眼鏡とを接続する。この場合、携帯用テレビジョン１７は、自動車レース場内に伝播されているテレビジョン電波を受信するもので、このテレビジョン電波の内容は、自動車レース場内のレース用周回コースの各所に配置されたテレビジョンカメラによって撮影された自動車レースの状況を撮像しているもので、携帯用テレビジョン１７で受信されたテレビジョン信号は、内部で所定の処理が行われた後、映像信号としてリード線１７ｂを通して双眼鏡に伝送される。
【００１５】
この場合、他方の鏡筒２の後端領域の内部に配置されているＣＣＤアレイ４とＬＣＤアレイ５とは、中間領域に近い側にＣＣＤアレイ４が、接眼レンズ２ｂに近い側にＬＣＤアレイ５がそれぞれ配置され、ＣＣＤアレイ４はマウント３の内部に設けられているＣＣＤ駆動部１０の入力端に接続され、ＬＣＤアレイ５はマウント３の内部に設けられているＬＣＤ駆動部１１の出力端に接続されている。
【００１６】
マウント３の内部において、１回路２接点スイッチ１２は、可動接点がＬＣＤ駆動部１１の入力端に接続され、一方の固定接点がＣＣＤ駆動部１０の出力端に接続され、他方の固定接点がインターフェイス１４の出力端に接続される。ＬＣＤ駆動部１１は、選択的にメモリ１３に接続される。インターフェイス１４は、入力端がコネクタ１５に接続される。
【００１７】
前記構成によるこの実施の形態による双眼鏡の動作は、次の通りである。
【００１８】
双眼鏡の使用者が一方の鏡筒１及び他方の鏡筒２の双方を用いて前方の同一光景を見る場合は、１回路２接点スイッチ１２を外部操作し、その可動接点を一方の固定接点側に切替える。このとき、双眼鏡の焦点距離調整機構を用いて焦点の調整を行い、一方の鏡筒１側においては、対物レンズ１ａに入射された前方光景によって形成される光束を第１プリズム６と第２プリズム７それに接眼レンズ１ｂを通して眼球内に導かれ、網膜上に前方光景像を結像させる。また、他方の鏡筒２側においては、対物レンズ２ａに入射された前方光景によって形成された光束を第１プリズム８と第１収束レンズ２ｃと第２プリズム９と第２収束レンズ２ｄとを通してＣＣＤアレイ４上に導き、ＣＣＤアレイ４の面上に前方光景像を結像させ、ＣＣＤ駆動部１０がその結像に対応した結像情報を電気信号として読み出す。この読み出された電気信号は、１回路２接点スイッチ１２を通してＬＣＤ駆動部１１に供給され、ＬＣＤアレイ５の面上にＣＣＤアレイ４の面上の結像とほぼ同じ画像を表示させ、ＬＣＤアレイ５の面上に形成された画像は接眼レンズ１ｂを通じて眼球内に導かれる。このように、一方の鏡筒１においては、光学的なそのままの画像が得られ、他方の鏡筒２においては、途中で光−電気変換処理及び電気−光変換処理が行われた画像が得られるので、双眼鏡から同一の前方光景を見ることができる。
【００１９】
一方、双眼鏡の使用者が他方の鏡筒２を用いて遠隔地の状態を見る場合は、１回路２接点スイッチ１２を外部操作し、その可動接点を他方の固定接点側に切替え、携帯用テレビジョン１７のリード線１７ｂの先端に設けられたプラグ１６を双眼鏡のコネクタ１５に嵌め込む。このとき、携帯用テレビジョン１７がいずれかのテレビジョンカメラで撮像した自動車レースの状況を示す無線信号を受信すると、受信した映像信号がリード線１７ｂを通り、嵌め込まれたプラグ１６とコネクタ１５を通してマウント３の内部に供給される。そして、マウント３の内部に供給された映像信号は、インターフェイス１４を通り、次いで１回路２接点スイッチ１２を通してＬＣＤ駆動部１１に供給され、ＬＣＤ駆動部１１から出力された映像信号がＬＣＤアレイ５に供給され、ＬＣＤアレイ５の面上に映像信号の画像とほぼ同じ画像を形成させる。ＬＣＤアレイ５の面上に形成された画像は接眼レンズ１ｂを通じて眼球内に導かれる。このように、他方の鏡筒２側においては、テレビジョンカメラで撮像された遠隔地の自動車レースの状況を示す画像を携帯用テレビジョン１７を通して双眼鏡の他方の鏡筒２内に再現させることができるので、手元の双眼鏡を通して遠隔地の自動車レースの状況を見ることができる。このとき、一方の鏡筒１側に得られる画像は、前述の場合と同様の前方光景の画像である。
【００２０】
ところで、この双眼鏡を用いて、一方の眼で近くの前方光景を見ると同時に、他方の眼で遠隔地の状態を見る場合は、これらの眼に見える画像はそれぞれ異なるものであるため、視覚心理上、左右の眼でこれらの画像のそれぞれを個別に常時注視することはできないものの、テレビジョンカメラで撮像した画像は、その画像とともに自動車レース場内に放送されている音声内容から、現在見ている撮像画像のシーンを十分に理解することができるものであり、自動車レース場の観客にとっては、その時々において、いずれかの画像を注視した方がよいかを即座に判断することは可能な筈である。
【００２１】
図１に図示された実施の形態に係わる双眼鏡は、一方の鏡筒１の内部に、平行四辺形状の第１プリズム６及び第２プリズム７を設けた例を示し、他方の鏡筒２の内部に、台形状の第１プリズム８及び第２プリズム９と第１収束レンズ２ｃ及び第２収束レンズ２ｄを設けた例を示している。この場合、他方の鏡筒２側に第１収束レンズ２ｃ及び第２収束レンズ２ｄを設けた理由は、一方の鏡筒１と他方の鏡筒２間における焦点距離の違いを補正するためである。すなわち、双眼鏡における焦点距離の調整は、マウント３に設けられた焦点距離調整機構の調整ツマミ３ａを回動することによって、接眼レンズ１ｂ、２ｂを保持する可動後端領域を連動させて前後方向に伸縮させることによって行われる。この焦点の調整時には、一方の鏡筒１側は眼球網膜上に、他方の鏡筒２はＣＣＤアレイ４の面上に、両者の焦点距離が異なっていても、それぞれ結像させる必要がある。このため、他方の鏡筒２側は、一方の鏡筒１側に比べて、長い光路長を形成するようにし、対物レンズ１ａから網膜までの焦点距離と対物レンズ２ａからＣＣＤアレイ４までの焦点距離とが等価的に等しくなるようにしているためである。
【００２２】
したがって、結果的には、一方の鏡筒１側と他方の鏡筒２側の焦点距離が等しくなればよいので、一方の鏡筒１側に平行四辺形状の第１プリズム６及び第２プリズム７の組み合わせを、他方の鏡筒２側に台形状の第１プリズム８及び第２プリズム９と第１収束レンズ２ｃ及び第２収束レンズ２ｄの組み合わせを用いる必要はなく、それらに光学的に等価な光学素子を用いるようにしてもよい。すなわち、図１に図示された実施の形態に係わる双眼鏡は、使用可能な光学素子の組み合わせ例の１つを示しているに過ぎないもので、その他にも同じような機能を果たすことができる光学素子の組み合わせ例としては種々のものがあり、ここではそれらの組み合わせ例を示していない。この理由は、プリズムやレンズ等の光学素子を使用する全ての場合に云えることで、その形状、厚み、配置場所、配置角度、配置順序の何れの差異によっても、通過光束の出力形状はそれぞれ異なるものになる。したがって、これらの光学素子の組み合わせは、数多くのものがあることになるので、それらの例の提示は省略している。
【００２３】
この実施の形態においては、ＣＣＤ駆動部１０を用いてＣＣＤアレイ４の面上の結像を電気信号に変換する際に、その電気信号として、映像信号の送受に適した形式の信号、一例としてＭＰＥＧ−２の形式の信号に変換している。そして、得られたＭＰＥＧ−２の形式の信号は、ＬＣＤ駆動部１１を用いてＬＣＤアレイ５の面上に表示光景の画像を形成させている。
【００２４】
また、図１に図示するように、ＬＣＤ駆動部１１にメモリ１３を選択的に結合できるような構成にしておけば、必要な時期にメモリ１３の記録内容を読み出すことにより、その記録内容に対応した再生画像を形成することができる。
【図面の簡単な説明】
【００２５】
【図１】本発明の双眼鏡の実施の形態に係るもので、その要部構成を示す横断面図である。
【符号の説明】
【００２６】
１  一方の鏡筒
１ａ  対物レンズ
１ｂ  接眼レンズ
２  他方の鏡筒
２ａ  対物レンズ
２ｂ  接眼レンズ
２ｃ  第１収束レンズ
２ｄ  第２収束レンズ
３  マウント
３ａ  焦点調整ツマミ
３ｂ  鏡筒間隔調整用蝶番機構
４  ＣＣＤアレイ
５  ＬＣＤアレイ
６  平行四辺形状の第１プリズム
７  平行四辺形状の第２プリズム
８  台形状の第１プリズム
９  台形状の第２プリズム
１０  ＣＣＤ駆動部
１１  ＬＣＤ駆動部
１２  １回路２接点スイッチ
１３  メモリ
１４  インターフェイス
１５  コネクタ
１６  プラグ
１７  携帯用テレビジョン
１７ａ  受信アンテナ
１７ｂ  リード線
【図１】
2007101589.tif 000003